(57)【要約】【課題】本発明は、カラーキャスト問題を抑えられる液晶パネルの駆動方法を提供する。【解決手段】本発明は、それぞれが少なくとも青色サブ画素からなる複数の画素ユニットを備える液晶パネルを提供する手順と、液晶パネルを、隣接する第一画素ユニットと第二画素ユニットからなる複数の表示ユニットに分割する手順と、表示ユニットに必要な青色サブ画素のグレースケール値Ｂについては、第一画素ユニット内の青色サブ画素にグレースケール値ＢＨを提供し、第二画素ユニット内の青色サブ画素にグレースケール値ＢＬを提供する手順と、からなる。グレースケール値ＢＨとＢＬの組み合わせにより、表示ユニットの青色サブ画素の斜視角度における輝度曲線を所定のＧａｍｍａ（γ）曲線に近づけることができる。その内、γ＝１．８〜２．４である。本発明は、また、前記駆動方法を採用して駆動させる液晶パネルを提供する。【選択図】図１
2017538149.tif 000002
【特許請求の範囲】
【請求項１】
液晶パネルの駆動方法であって、
前記駆動方法は、
各画素ユニットが少なくとも青色サブ画素からなる複数の画素ユニットを備える液晶パネルを提供する手順と、
前記液晶パネルを、隣接する第一画素ユニット及び第二画素ユニットからなる複数の表示ユニットに分割する手順と、
前記表示ユニットに必要な青色サブ画素のグレースケール値Ｂについては、前記第一画素ユニット内の青色サブ画素にグレースケール値ＢＨを提供し、前記第二画素ユニット内の青色サブ画素にグレースケール値ＢＬを提供する手順と、からなり、そのうち、グレースケール値ＢＨ及びＢＬの組み合わせにより、前記表示ユニットの青色サブ画素の斜視角度における輝度曲線を、所定のＧａｍｍａ（γ）曲線に近づけることができ、そのうち、γ＝１．８〜２．４である、
ことを特徴とする液晶パネルの駆動方法。
【請求項２】
前記正視角度αは０°であり、前記斜視角度βは３０〜８０°である
ことを特徴とする、請求項１に記載の液晶パネルの駆動方法。
【請求項３】
グレースケール値Ｂをグレースケール値ＢＨ及びＢＬの組み合わせに分割する手順は、具体的にＳ１０１，Ｓ１０２，Ｓ１０３，Ｓ１０４，Ｓ１０５からなり、
Ｓ１０１は、前記液晶パネルの青色サブ画素の正視角度αにおける実際の輝度及びグレースケールの関係曲線Ｂ０−ＬｖαＢ０を得る手順であり、
Ｓ１０２は、前記液晶パネルの青色サブ画素の斜視角度βにおける実際の輝度及びグレースケールの関係曲線Ｂ０−ＬｖβＢ０を得る手順であり、
Ｓ１０３は、
【数７】
2017538149.tif 000009
に基づき計算し、前記液晶パネルの青色サブ画素の正視角度α及び斜視角度βにおける理論上の輝度及びグレースケールの関係曲線Ｂ-ＬｖαＢ及びＢ-ＬｖβＢを得る手順であり、
Ｓ１０４は、前記表示ユニットに必要な青色サブ画素のグレースケール値Ｂについて、第一画素ユニット内の青色サブ画素に入力されたグレースケール値ＢＨと、第二画素ユニット内の青色サブ画素に入力されたグレースケール値ＢＬに、以下の関係式
【数８】
2017538149.tif 000010
を満たさせる手順であり、
そのうち、ｙは最小値をとり、ＬｖαＢ及びＬｖβＢの値は、関係曲線Ｂ-ＬｖαＢ及びＢ-ＬｖβＢから求められ、Ｌｖα（ＢＨ）及びＬｖα（ＢＬ）は、関係曲線Ｂ０−ＬｖαＢ０から求められ、Ｌｖβ（ＢＨ）及びＬｖβ（ＢＬ）は、関係曲線Ｂ０−ＬｖβＢ０から求められ、
Ｓ１０５は、前記表示ユニットに必要な青色サブ画素の各グレースケール値Ｂについて、手順Ｓ１０４に基づき、対応する一つのグレースケール値ＢＨ及びＢＬの組み合わせを得て、前記液晶パネルの青色サブ画素についての表示ルックアップテーブルＬＵＴを新たに設定する手順である、
ことを特徴とする、請求項１に記載の液晶パネルの駆動方法。
【請求項４】
前記正視角度αは、０°であり、前記斜視角度βは、３０〜８０°である
ことを特徴とする、請求項３に記載の液晶パネルの駆動方法。
【請求項５】
前記斜視角度βは、６０°である
ことを特徴とする、請求項４に記載の液晶パネルの駆動方法。
【請求項６】
前記画素ユニットは、さらに、赤色サブ画素及び緑色サブ画素を備え、青色サブ画素のデータパラメータを新たに設定した時、赤色サブ画素及び緑色サブ画素のデータ信号は不変を維持する、
ことを特徴とする、請求項１に記載の液晶パネルの駆動方法。
【請求項７】
前記液晶パネルは、さらに、ゲートドライバ及びソースドライバを備え、前記ゲートドライバは、複数本の走査線によって前記画素ユニットに走査信号を提供し、前記ソースドライバは、複数本のデータ線によって前記画素ユニットにデータ信号を提供する
ことを特徴とする、請求項１に記載の液晶パネルの駆動方法。
【請求項８】
前記液晶パネルのグレースケールは、０〜２５５の２５６個のグレースケールからなる
ことを特徴とする、請求項１に記載の液晶パネルの駆動方法。
【請求項９】
前記所定のＧａｍｍａ（γ）曲線では、γ＝２．２である
ことを特徴とする、請求項１に記載の液晶パネルの駆動方法。
【請求項１０】
前記所定のＧａｍｍａ（γ）曲線では、γ＝２．２である
ことを特徴とする、請求項３に記載の液晶パネルの駆動方法。
【請求項１１】
ゲートドライバと、ソースドライバと、画素ユニットと、からなる液晶パネルであって、
各画素ユニットは少なくとも青色サブ画素からなり、前記ゲートドライバは、複数本の走査線によって前記画素ユニットに走査信号を提供し、前記ソースドライバは、複数本のデータ線によって前記画素ユニットにデータ信号を提供し、
その内、前記液晶パネルの駆動方法は、
前記液晶パネルを、隣接する第一画素ユニット及び第二画素ユニットからなる複数の表示ユニットに分割する手順と、
前記表示ユニットに必要な青色サブ画素のグレースケール値Ｂについては、前記第一画素ユニット内の青色サブ画素にグレースケール値ＢＨを提供し、前記第二画素ユニット内の青色サブ画素にグレースケール値ＢＬを提供する手順と、からなり、
その内、グレースケール値ＢＨ及びＢＬの組み合わせによって、前記表示ユニットの青色サブ画素の斜視角度における輝度曲線を所定のＧａｍｍａ（γ）曲線に近づけることができ、
そのうち、γ＝１．８〜２．４である
ことを特徴とする、液晶パネルの駆動方法。
【請求項１２】
前記正視角度αは０°であり、前記斜視角度βは３０〜８０°である
ことを特徴とする、請求項１１に記載の液晶パネルの駆動方法。
【請求項１３】
グレースケール値Ｂをグレースケール値ＢＨ及びＢＬの組み合わせに分割する手順は、具体的に、Ｓ１０１、Ｓ１０２，Ｓ１０３，Ｓ１０４，Ｓ１０５からなり、  
Ｓ１０１は、前記液晶パネルの青色サブ画素の正視角度αにおける実際の輝度及びグレースケールの関係曲線Ｂ０−ＬｖαＢ０を得る手順であり、
Ｓ１０２は、前記液晶パネルの青色サブ画素の斜視角度βにおける実際の輝度及びグレースケールの関係曲線Ｂ０−ＬｖβＢ０を得る手順であり、
Ｓ１０３は、
【数９】
2017538149.tif 000011
に基づいて計算し、前記液晶パネルの青色サブ画素の正視角度α及び斜視角度βにおける理論上の輝度及びグレースケールの関係曲線Ｂ-ＬｖαＢ及びＢ-ＬｖβＢを得る手順であり、
Ｓ１０４は、前記表示ユニットに必要な青色サブ画素のグレースケール値Ｂについて、第一画素ユニット内の青色サブ画素に入力されたグレースケール値ＢＨと、第二画素ユニット内の青色サブ画素に入力されたグレースケール値ＢＬに、以下の関係式
【数１０】
2017538149.tif 000012
を満たさせる手順であり、
そのうち、ｙは最小値をとり、ＬｖαＢ及びＬｖβＢの値は、関係曲線Ｂ-ＬｖαＢ及びＢ-ＬｖβＢから求められ、Ｌｖα（ＢＨ）及びＬｖα（ＢＬ）は、関係曲線Ｂ０−ＬｖαＢ０から求められ、Ｌｖβ（ＢＨ）及びＬｖβ（ＢＬ）は、関係曲線Ｂ０−ＬｖβＢ０から求められ、
Ｓ１０５は、前記表示ユニットに必要な青色サブ画素の各グレースケール値Ｂについて、手順Ｓ１０４に基づき、対応する一つのグレースケール値ＢＨ及びＢＬの組み合わせを得て、前記液晶パネルの青色サブ画素についての表示ルックアップテーブルＬＵＴを新たに設定する手順である
ことを特徴とする、請求項１１に記載の液晶パネルの駆動方法。
【請求項１４】
前記正視角度αは０°であり、前記斜視角度βは３０〜８０°である
ことを特徴とする、請求項１３に記載の液晶パネルの駆動方法。
【請求項１５】
前記斜視角度βは、６０°である
ことを特徴とする、請求項１４に記載の液晶パネルの駆動方法。
【請求項１６】
前記画素ユニットは、さらに、赤色サブ画素及び緑色サブ画素を備え、青色サブ画素のデータパラメータを新たに設定した時、赤色サブ画素及び緑色サブ画素のデータ信号は不変を維持する
ことを特徴とする、請求項１１に記載の液晶パネルの駆動方法。
【請求項１７】
前記液晶パネルは、さらに、ゲートドライバ及びソースドライバからなり、前記ゲートドライバは、複数本の走査線によって前記画素ユニットに走査信号を提供し、前記ソースドライバは、複数本のデータ線によって前記画素ユニットにデータ信号を提供する
ことを特徴とする、請求項１１に記載の液晶パネルの駆動方法。
【請求項１８】
前記液晶パネルのグレースケールは、０〜２５５の２５６個のグレースケールからなる
ことを特徴とする、請求項１１に記載の液晶パネルの駆動方法。
【請求項１９】
前記所定のＧａｍｍａ（γ）曲線では、γ＝２．２である
ことを特徴とする、請求項１１に記載の液晶パネルの駆動方法。
【請求項２０】
前記所定のＧａｍｍａ（γ）曲線では、γ＝２．２である
ことを特徴とする、請求項１３に記載の液晶パネルの駆動方法。
【発明の詳細な説明】
【技術分野】
【０００１】
本発明は、液晶ディスプレイ技術に関し、特に、液晶パネル及びその駆動方法に関する。
【背景技術】
【０００２】
液晶ディスプレイは、ＬＣＤ（Ｌｉｑｕｉｄ  Ｃｒｙｓｔａｌ  Ｄｉｓｐｌａｙ）とも呼ばれ、超薄型の平面ディスプレイ装置と、一定数のカラーまたはモノクロ画素からなり、光源または反射板の前方に配置される。液晶ディスプレイは、低消費電力であり、且つ、高画質で、場所をとらず、重さも軽いといった特色を備えているため、いっそう人気を博しており、ディスプレイの主流となっている。液晶ディスプレイはすでに各種電子製品において広く使用されており、例えば、ディスプレイ画面を備えたコンピューター装置や、携帯電話、あるいはデジタルフォトフレームなど、広視野角の技術は、現在液晶ディスプレイの開発の重点の一つになっている。しかしながら、側面または斜めから見る視野角が大き過ぎると、広視野角の液晶ディスプレイは、よくカラーキャスト（ｃｏｌｏｒ  ｓｈｉｆｔ）現象が発生する。
【０００３】
広視野角の液晶ディスプレイに発生するカラーキャスト現象の問題に関しては、現在業界中で２Ｄ１Ｇ技術を用いて改善するようになった。２Ｄ１Ｇ技術は、液晶パネルのうち、各画素ユニット（ｐｉｘｅｌ）を面積の異なるメイン画素区域（Ｍａｉｎ  ｐｉｘｅｌ）及びサブ画素区域（Ｓｕｂ  ｐｉｘｅｌ）に分け、同じ画素ユニット中のメイン画素区域及びサブ画素区域を異なるデータ線（Ｄａｔａ  ｌｉｎｅ）及び同じ走査線（Ｇａｔｅ  ｌｉｎｅ）とに接続する技術のことを指す。メイン画素区域及びサブ画素区域に入力する異なるデータ信号（異なるグレースケール値）によって、異なる表示輝度及び斜視輝度を作り出し、側面または斜めから見た時に生じるカラーキャストの問題を抑えることができる。ただし、各画素ユニットを、メイン画素区域及びサブ画素区域に分割すると、その入力データ信号のデータ線の数量は元の二倍になり、これにより、液晶パネルの開口率が大幅に減り、透過率に影響するため、液晶パネルの表示品質が下がってしまう。
【発明の概要】
【発明が解決しようとする課題】
【０００４】
本発明は、液晶パネルの駆動方法を変え、従来のＲＧＢ三画素液晶パネル内で２Ｄ１Ｇパネルの表示をシミュレーションすることで、側面または斜めから見た時に起こるカラーキャストの問題を抑えることができる、液晶パネル及びその駆動方法を提供することを目的とする。
【課題を解決するための手段】
【０００５】
上記の目的を達成するために、本発明による液晶パネルの駆動方法は、
前記液晶パネルを構成する複数の画素ユニット、各画素ユニットが少なくとも青色サブ画素からなる複数の画素ユニットを備える前記液晶パネルを提供する手順と、前記液晶パネルを、隣接する第一画素ユニット及び第二画素ユニットからなる、複数の表示ユニットに分割する手順と、からなる。
【０００６】
また、前記駆動方法は、さらに、前記表示ユニットに必要な青色サブ画素のグレースケール値Ｂについては、前記第一画素ユニット内の青色サブ画素にグレースケール値ＢＨを提供し、前記第二画素ユニット内の青色サブ画素にグレースケール値ＢＬを提供する、手順を備える。そのうち、グレースケール値ＢＨ及びＢＬの組み合わせにより、前記表示ユニットの青色サブ画素の斜視角度における輝度曲線を所定のＧａｍｍａ（γ）曲線に近づけることができる。そのうち、γ＝１．８〜２．４である。
【０００７】
そのうち、グレースケール値Ｂをグレースケール値ＢＨ及びＢＬの組み合わせに分割する手順は、具体的に、Ｓ１０１，Ｓ１０２，Ｓ１０３，Ｓ１０４，Ｓ１０５からなる。
【０００８】
Ｓ１０１は、前記液晶パネルの青色サブ画素の正視角度αにおける実際の輝度及びグレースケールの関係曲線Ｂ０−ＬｖαＢ０を得る手順である。
【０００９】
Ｓ１０２は、前記液晶パネルの青色サブ画素の斜視角度βにおける実際の輝度及びグレースケールの関係曲線Ｂ０−ＬｖβＢ０を得る手順である。
【００１０】
Ｓ１０３は、
【数１】
2017538149.tif 000003
に基づいて計算し、前記液晶パネルの青色サブ画素の正視角度α及び斜視角度βにおける理論上の輝度及びグレースケールの関係曲線Ｂ−ＬｖαＢ及びＢ−ＬｖβＢを得る手順である。
【００１１】
Ｓ１０４は、前記表示ユニットに必要な青色サブ画素のグレースケール値Ｂについて、第一画素ユニット内の青色サブ画素に入力されたグレースケール値ＢＨと、第二画素ユニット内の青色サブ画素に入力されたグレースケール値ＢＬに、以下の関係式
【数２】
2017538149.tif 000004
を満たさせる手順である。
【００１２】
そのうち、ｙは最小値をとり、ＬｖαＢ及びＬｖβＢの値は、関係曲線Ｂ−ＬｖαＢ及びＢ−ＬｖβＢから求められ、Ｌｖα（ＢＨ）及びＬｖα（ＢＬ）は、関係曲線Ｂ０−ＬｖαＢ０から求められ、Ｌｖβ（ＢＨ）及びＬｖβ（ＢＬ）は、関係曲線Ｂ０−ＬｖβＢ０から求められる。
【００１３】
Ｓ１０５は、前記表示ユニットに必要な青色サブ画素の各グレースケール値Ｂについて、手順Ｓ１０４に基づき、対応する一つのグレースケール値ＢＨ及びＢＬの組み合わせを得て、新たに前記液晶パネルの青色サブ画素についての表示ルックアップテーブルＬＵＴを設定する手順である。
【００１４】
そのうち、前記正視角度αは、０°であり、前記斜視角度βは、３０〜８０°である。
【００１５】
そのうち、前記斜視角度βは６０°である。
【００１６】
そのうち、前記画素ユニットは、さらに、赤色サブ画素及び緑色サブ画素を備え、青色サブ画素のデータパラメータを新たに設定した時、赤色サブ画素及び緑色サブ画素のデータ信号は不変を維持する。
【００１７】
そのうち、前記液晶パネルは、さらに、ゲートドライバ及びソースドライバを備え、前記ゲートドライバは複数本の走査線によって前記画素ユニットに走査信号を提供し、前記ソースドライバは複数本のデータ線によって前記画素ユニットにデータ信号を提供する。
【００１８】
そのうち、前記液晶パネルのグレースケールは、０〜２５５の２５６個のグレースケールからなる。
【００１９】
そのうち、前記所定のＧａｍｍａ（γ）曲線では、γ＝２．２である。
【００２０】
また、本発明は、ゲートドライバと、ソースドライバと、画素ユニットからなる液晶パネルを提供する。前記ゲートドライバは、複数本の走査線によって前記画素ユニットに走査信号を提供し、前記ソースドライバは、複数本のデータ線によって前記画素ユニットにデータ信号を提供する。そのうち、前記液晶パネルの駆動方法は前記の駆動方法を採用する。
【発明の効果】
【００２１】
本発明が提供する液晶パネル及びその駆動方法は、従来のＲＧＢ三画素液晶パネル内で、その駆動方法を変えて、２Ｄ１Ｇパネルの表示をシミュレーションすることで、側面または斜めから見た時に起こるカラーキャストの問題を抑えるとともに、液晶パネルの開口率が小さくならず、液晶パネルの表示品質を保障することができる。
【図面の簡単な説明】
【００２２】
【図１】本発明の実施例が提供する液晶パネルの構造の概略図である。
【図２】本発明の実施例が提供する液晶パネル内の表示ユニットを分割した例示図である。
【図３】本発明の実施例が提供する駆動方法において、表示ユニットにデータ信号を提供する例示図である。
【図４】本発明の実施例が提供する液晶パネル内の青色サブ画素及び緑色サブ画素の正視角度及び斜視角度における実際の輝度曲線図である。
【発明を実施するための形態】
【００２３】
本発明の目的、また技術手段及び長所をより理解させるために、以下では、実施例と図を示して、本発明について詳しく説明する。
【００２４】
図１を参照する。従来の液晶パネルは主に、複数の画素ユニット５ａ、５ｂを備える表示エリア１と、ゲートドライバ２と、ソースドライバ３と、からなる。前記ゲートドライバ２は、複数本の走査線を通して前記画素ユニット５ａ、５ｂに走査信号を提供し、前記ソースドライバ３は、複数本のデータ線を通して前記画素ユニット５ａ、５ｂにデータ信号を提供する。そのうち、各画素ユニット５ａ、５ｂは、赤色サブ画素５１と、緑色サブ画素５２と、青色サブ画素５３と、からなる。
【００２５】
本実施例は、液晶パネルの駆動方法を変えることで、前記の従来のＲＧＢ三画素液晶パネルで、２Ｄ１Ｇパネルの表示をシミュレーションし、側面または斜めから見た場合に起こるカラーキャストの問題を抑えることを目的とする。
【００２６】
上記の目的を達成するため、本発明が提供する液晶パネルは、図１及び図２が示すように、まず液晶パネルの表示エリア１を複数の表示ユニット４に分割する。各表示ユニット４は、隣接する第一画素ユニット５と、第二画素ユニット５ｂと、からなる。前記液晶パネルを駆動する時、表示ユニット４に必要な青色サブ画素５３のグレースケール値Ｂについては、第一画素ユニット５ａの青色サブ画素５３にグレースケール値ＢＨを提供し、前記第二画素ユニット５ｂの青色サブ画素５３にグレースケール値ＢＬを提供する。そのうち、グレースケール値ＢＨ及びＢＬの組み合わせにより、前記表示ユニットの青色サブ画素５３の斜視角度における輝度曲線を、所定のＧａｍｍａ（γ）曲線に近づけることができる。そのうち、Ｇａｍｍａ（γ）曲線は、実際の液晶パネルの必要に基づいて確定し、γの値は、１．８〜２．４とすることができる。図３は表示ユニット４にデータ信号を入力した例示図である。図３に示すように、表示ユニット４の二つの画素ユニット５ａ及び５ｂにおいて、青色サブ画素５３のデータパラメータＢＨ及びＢＬを新たに設定した時、及び緑色サブ画素５２のデータパラメータＧＨ及びＧＬを新たに設定した時、赤色サブ画素５１のデータ信号Ｒ及びＧは不変を維持する。
【００２７】
そのうち、前記正視角度αは０°であり、前記斜視角度βの範囲  は３０〜８０°である。
【００２８】
そのうち、図１−３の概略図を参照する。グレースケール値Ｂをグレースケール値ＢＨ及びＢＬの組み合わせに分割する手順は、具体的に、Ｓ１０１，Ｓ１０２，Ｓ１０３，Ｓ１０４，Ｓ１０５，からなる。  
【００２９】
Ｓ１０１は、前記液晶パネルの青色サブ画素５３の正視角度亞αにおける実際の輝度及びグレースケールの関係曲線Ｂ０−ＬｖαＢ０を得る手順である。
【００３０】
Ｓ１０２は、前記液晶パネルの青色サブ画素５３の斜視角度βにおける実際の輝度及びグレースケールの関係曲線Ｂ０−ＬｖβＢ０を得る手順である。
【００３１】
Ｓ１０３は、
【数３】
2017538149.tif 000005
に基づいて計算し、前記液晶パネルの青色サブ画素の正視角度α及び斜視角度βにおける理論上の輝度及びグレースケールの関係曲線Ｂ-ＬｖαＢ及びＢ-ＬｖβＢを得る手順である。
【００３２】
Ｓ１０４は、前記表示ユニット４に必要な青色サブ画素５３グレースケール値Ｂについて、第一画素ユニット５ａ内の青色サブ画素５３に入力されたグレースケール値ＢＨと、第二画素ユニット５ｂ内の青色サブ画素５３に入力されたグレースケール値ＢＬに、以下の関係式
【数４】
2017538149.tif 000006
を満たさせる手順である。
【００３３】
そのうち、ｙは最小値をとり、ＬｖαＢ及びＬｖβＢの値は、関係曲線Ｂ-ＬｖαＢ及びＢ-ＬｖβＢから求められ、Ｌｖα（ＢＨ）及びＬｖα（ＢＬ）は、関係曲線Ｂ０−ＬｖαＢ０から求められ、Ｌｖβ（ＢＨ）及びＬｖβ（ＢＬ）は、関係曲線Ｂ０−ＬｖβＢ０から求められる。
【００３４】
Ｓ１０５は、前記表示ユニット４に必要な青色サブ画素５３の各グレースケール値Ｂについて、手順Ｓ１０４に基づき、対応する一つのグレースケール値ＢＨ及びＢＬの組み合わせを得て、前記液晶パネルの青色サブ画素５３についての表示ルックアップテーブル（ＬＯＯＫ  ＵＰ  ＴＡＢＬＥ、ＬＵＴ）を新たに設定する手順である。
【００３５】
以下では、所定のＧａｍｍａ（γ）曲線においてγ＝２．２、正視角度α＝０°、斜視角度β＝６０°を具体的な例とし、グレースケール値Ｂをグレースケール値ＢＨ及びＢＬの組み合わせに分割する具体的な工程について詳しく説明する。
【００３６】
まず、前記液晶パネルの青色サブ画素５３の正視角度α＝０°における実際の輝度及びグレースケールの関係曲線Ｂ０−Ｌｖ０Ｂ０と、斜視角度β＝６０°における実際の輝度及びグレースケールの関係曲線Ｂ０−Ｌｖ６０Ｂ０を得る。図４の関係曲線図が示す通りである。そのうち前記液晶パネルのグレースケールは、０〜２５５の２５６個のグレースケールからなる。
【００３７】
それから、
【数５】
2017538149.tif 000007
に基づいて計算し、液晶パネルの青色サブ画素５３の正視角度α＝０°及び斜視角度β＝６０°における理論上の輝度及びグレースケールの関係曲線Ｂ−Ｌｖ０Ｂ及びＢ−Ｌｖ６０Ｂを得る。そのうち、前記公式において、正視角度α＝０°の時、Ｌｖ（２５５）は、前記曲線Ｂ０−Ｌｖ０Ｂ０内のＢ０＝２５５に対応する輝度値をとり、斜視角度β＝６０°の時、Ｌｖ（２５５）は、前記曲線Ｂ０−Ｌｖ６０Ｂ０内のＢ０＝２５５に対応する輝度値をとる。
【００３８】
さらに詳しく説明する。表示ユニット４に必要な青色サブ画素５３のグレースケール値Ｂ（すなわち、本来第一画素ユニット５ａ及び第二画素ユニット５ｂ内に入力する必要がある青色サブ画素５３のグレースケール値をいずれもＢとする）を、代替グレースケール値Ｂとすると、第一画素ユニット５ａ内の青色サブ画素５３に入力されたグレースケール値ＢＨと、第二画素ユニット５ｂ内の青色サブ画素５３に入力されたグレースケール値ＢＬは、以下の関係式を満たす。
【００３９】
【数６】
2017538149.tif 000008
【００４０】
そのうち、必要な青色サブ画素５３のグレースケール値Ｂが確定した時、理論上の輝度曲線Ｂ−Ｌｖ０Ｂ及びＢ−Ｌｖ６０Ｂから、Ｌｖ０Ｂ及びＬｖ６０Ｂのとる値が求められ、この時、実際の輝度曲線Ｂ０−Ｌｖ０Ｂ０から、Ｌｖ０（ＢＨ）及びＬｖ０（ＢＬ）が求められ、実際の輝度曲線Ｂ０−Ｌｖ６０Ｂ０から、Ｌｖ６０（ＢＨ）及びＬｖ６０（ＢＬ）が求められ、それにより、前記関係式内のｙのとる値が最小になり、対応するグレースケール値ＢＨ及びＢＬが得られる。
【００４１】
最後に、前記表示ユニット４に必要な青色サブ画素５３の各グレースケール値Ｂについて、前記の計算方式に基づいて、対応する一つのＢＨ及びＢＬの組み合わせを得るとともに、前記液晶パネルの青色サブ画素５３についての表示ルックアップテーブル（ＬＯＯＫ  ＵＰ  ＴＡＢＬＥ、ＬＵＴ）を、新たに設定する。液晶パネルが駆動していて、画面を表示している時、表示ユニット４に必要な青色サブ画素５３のグレースケール値Ｂの場合は、前記表示ルックアップテーブル内から、前記第一画素ユニット５ａ内の青色サブ画素５３にグレースケール値ＢＨを提供するとともに、前記第二画素ユニット５ｂ内の青色サブ画素５３にグレースケール値ＢＬを提供することが確定される。
【００４２】
上記に記載の実施例による液晶パネル及びその駆動方法は、まず従来の液晶パネルを表示ユニットに分割する。各表示ユニットは、二つの隣接する画素ユニットからなる。表示ユニットに必要な青色サブ画素のグレースケール値Ｂについては、そのうちの一つの画素ユニット内の青色サブ画素にグレースケール値ＢＨを提供するとともに、もう一つの画素ユニット内の青色サブ画素にグレースケール値ＢＬを提供する。以上の方法によって、２Ｄ１Ｇパネルの表示効果が得られ、側面または斜めから見た時に起こるカラーキャスト問題を抑えるとともに、液晶パネルの開口率が小さくならず、液晶パネルの表示品質を保障することができる。
【００４３】
本発明の保護範囲は、決して前記の具体的な実施方式に限られるものではなく、本領域の技術者は、本発明に対して、本発明の精神と範囲を逸脱しない限りにおいて、各種の変更と修正ができる。したがって、本発明の変更と修正は、本発明の権利請求及びそれと同じような技術の範囲内に属するとともに、本発明もそれら変更と修正のうちに含まれるものとする。
【符号の説明】
【００４４】
１    表示領域
２    ゲートドライバ
３    ソースドライバ
４    表示ユニット
５ａ  第一画素ユニット
５ｂ  第二画素ユニット
５１  赤色サブ画素
５２  緑色サブ画素
５３  青色サブ画素
【図１】
2017538149.tif 000013
【図２】
2017538149.tif 000014
【図３】
2017538149.tif 000015
【図４】
2017538149.tif 000016
【国際調査報告】
2017538149.tif 000017
2017538149.tif 000018
2017538149.tif 000019
2017538149.tif 000020
2017538149.tif 000021
2017538149.tif 000022